(57)【特許請求の範囲】
【請求項１】
患者に対応付けて次回の医療行為の実施予定時期を登録する登録処理部と、
現在から前記実施予定時期までの残存期間と前記残存期間に応じて形状が異なる画像とが対応付けられた対応情報に基づいて、前記残存期間に対応する前記画像を表示可能な画像表示処理部と、
を備え、
前記登録処理部が、複数の前記医療行為の内容と前記医療行為各々に対応する実施予定間隔を含む実施予定条件とが対応付けられた自動設定情報に基づいて、前記患者の前回の前記医療行為の内容が前記実施予定条件で設定された前記医療行為の内容と一致する場合に、前回の前記医療行為の実施時期から当該医療行為の内容に対応する前記実施予定間隔の経過後の時期を、前記患者の次回の前記実施予定時期として自動的に登録可能である、
医療用事務処理システム。
【請求項２】
前記自動設定情報は、前記患者が属するグループと前記実施予定条件とが対応付けられたものであり、
前記登録処理部は、前記自動設定情報に基づいて、前記患者の前回の前記医療行為の内容が当該患者が属する前記グループに対応する前記実施予定条件で設定された前記医療行為の内容と一致する場合に、前回の前記医療行為の実施時期から当該医療行為の内容に対応する前記実施予定間隔の経過後の時期を、前記患者の次回の前記実施予定時期として自動的に登録する、
請求項１に記載の医療用事務処理システム。
【請求項３】
前記グループが、前記患者が受診する診療科である請求項１又は２に記載の医療用事務処理システム。
【請求項４】
前記自動設定情報を任意に設定可能な設定処理部を更に備える請求項１〜３のいずれかに記載の医療用事務処理システム。
【請求項５】
前記画像表示処理部が、受診対象の患者の一覧が表示される第１表示画面において、前記患者ごとに対応する表示位置に前記画像を表示させる請求項１〜４のいずれかに記載の医療用事務処理システム。
【請求項６】
前記画像表示処理部が、前記患者の診療情報が表示される前に、前記画像が表示される第２表示画面を
表示させる請求項１〜５のいずれかに記載の医療用事務処理システム。
【請求項７】
前記画像表示処理部が、前記患者の診療情報が表示される第３表示画面に前記画像を表示させる請求項１〜６のいずれかに記載の医療用事務処理システム。
【請求項８】
前記登録処理部が、前記第３表示画面における前記医療行為の内容の入力に応じて次回の前記医療行為の実施予定時期を前記自動設定情報に基づいて登録し、
前記画像表示処理部が、現在表示されている前記第３表示画面に、前記登録処理部によって登録された次回の前記医療行為の実施予定時期に対応する前記画像を表示させる請求項７に記載の医療用事務処理システム。
【請求項９】
前記登録処理部が、特定の時期の指定、及び次回診察時が前記実施予定時期であることの指定を含む複数の指定方法から選択して行われるユーザー操作に応じて、次回の前記医療行為の実施予定時期を前記患者ごとに個別に登録することが可能である請求項１〜８のいずれかに記載の医療用事務処理システム。
【請求項１０】
前記画像表示処理部が、前記残存期間が第１閾値未満である場合に第１画像を表示させ、前記残存期間が前記第１閾値以上であって第２閾値未満である場合に前記第１画像と異なる第２画像を表示させ、前記残存期間が前記第２閾値以上である場合に前記第１画像及び前記第２画像と異なる第３画像を表示させる請求項１〜９のいずれかに記載の医療用事務処理システム。
【請求項１１】
前記第１画像と前記第２画像及び前記第３画像とは形状が異なり、
前記第２画像と前記第３画像とは表示態様が異なるものである請求項１０に記載の医療用事務処理システム。
【請求項１２】
前記画像表示処理部が、前記残存期間が第１閾値未満である場合に第１画像を表示させ、前記残存期間が前記第１閾値以上である場合に前記第１画像と異なる第２画像を表示させる請求項１〜９のいずれかに記載の医療用事務処理システム。
【請求項１３】
前記画像表示処理部が、前記患者に対応付けて次回の前記医療行為の実施予定時期が登録されていない場合に前記画像の表示位置に、予め設定された第４画像を表示する請求項１〜１２のいずれかに記載の医療用事務処理システム。
【請求項１４】
患者に対応付けて次回の医療行為の実施予定時期を登録する登録ステップと、
現在から前記実施予定時期までの残存期間と前記残存期間に応じて形状が異なる画像とが対応付けられた対応情報に基づいて、前記残存期間に対応する前記画像を表示可能な画像表示ステップと、
をコンピューターに実行させるための医療用事務処理プログラムであって、
前記登録ステップが、複数の前記医療行為の内容と前記医療行為各々に対応する実施予定間隔を含む実施予定条件とが対応付けられた自動設定情報に基づいて、前記患者の前回の前記医療行為の内容が前記実施予定条件で設定された前記医療行為の内容と一致する場合に、前回の前記医療行為の実施時期から当該医療行為の内容に対応する前記実施予定間隔の経過後の時期を、前記患者の次回の前記実施予定時期として自動的に登録する、
医療用事務処理プログラム。
【請求項１５】
前記自動設定情報は、前記患者が属するグループと前記実施予定条件とが対応付けられたものであり、
前記登録ステップは、前記自動設定情報に基づいて、前記患者の前回の前記医療行為の内容が当該患者が属する前記グループに対応する前記実施予定条件で設定された前記医療行為の内容と一致する場合に、前回の前記医療行為の実施時期から当該医療行為の内容に対応する前記実施予定間隔の経過後の時期を、前記患者の次回の前記実施予定時期として自動的に登録する、
請求項１４に記載の医療用事務処理プログラム。
【発明の詳細な説明】
【技術分野】
【０００１】
本発明は、患者の診療情報及び会計情報などを電子データ化して管理する医療用事務処理システムに関するものである。
【背景技術】
【０００２】
一般に、病院などの医療施設では、診察、医療行為、薬剤の払い出し、及び会計処理などを管理するために医療用事務処理システム（例えば特許文献１参照）が利用されることがある。なお、医療用事務処理システムは、患者の診療情報を管理する電子カルテシステム及び患者の会計情報を管理するレセプト電算処理システムなどの上位概念である。
【先行技術文献】
【特許文献】
【０００３】
【特許文献１】特開２００５−１７４１４３号公報
【発明の概要】
【発明が解決しようとする課題】
【０００４】
ところで、患者に対して例えば数ヶ月に１度のように定期的に検査、処置、又は投薬指示などの医療行為を行う場合には、患者ごとに次回の医療行為の実施予定時期を管理する必要がある。これに対し、従来の医療用事務処理システムでも、例えば患者の診療情報の備考欄などにその患者の医療行為の実施予定時期などをテキスト情報として記録することは可能であった。しかしながら、患者の診療情報の備考欄などにおけるテキスト情報の記録では、患者ごとの医療行為の実施予定時期を医師などのユーザーに容易に認識させることができない。
【０００５】
本発明の目的は、ユーザーに患者ごとの医療行為の実施予定時期を容易に認識させることが可能な医療用事務処理システムを提供することにある。
【課題を解決するための手段】
【０００６】
本発明に係る医療用事務処理システムは、登録処理部及び画像表示処理部を備える。前記登録処理部は、患者に対応付けて次回の医療行為の実施予定時期を登録する。前記画像表示処理部は、残存期間と予め設定された画像とが対応付けられた対応情報に基づいて、現在から前記実施予定時期までの前記残存期間に対応する前記画像を表示可能である。
【０００７】
本発明によれば、ユーザーに患者ごとの医療行為の実施予定時期を容易に認識させることが可能である。具体的に、ユーザーは、前記画像表示処理部によって表示される前記画像を参照することにより、前記実施予定時期がテキストで表示される場合に比べて前記実施予定時期を直感的に認識することができる。
【０００８】
特に、前記画像は、形状及び表示態様のいずれか一方又は両方が前記残存期間に応じて異なるものであることが考えられる。これにより、ユーザーは、前記画像の形状及び表示態様などに応じて前記実施予定時期を直感的に把握することができる。ここで、前記表示態様は、配色及びサイズのいずれか一方又は両方を含むことが考えられる。
【０００９】
また、前記登録処理部が、前記患者が属するグループと予め設定された実施予定条件とが対応付けられた自動設定情報に基づいて、前記患者の次回の前記医療行為の実施予定時期を自動的に登録可能であることが考えられる。これにより、前記患者ごとに前記実施予定時期を設定するユーザーの手間が不要となる。また、前記実施予定時期の設定忘れを防止することも可能となる。ここで、前記グループは、前記患者が受診する診療科であることが考えられる。また、前記医療用事務処理システムは、前記自動設定情報を任意に設定可能な設定処理部を備えることが考えられる。
【００１０】
また、前記登録処理部が、前回の前記実施予定時期から予め設定された特定期間の経過後の時期を前記実施予定時期として設定することが考えられる。これにより、ユーザーが、特に意識することなく前記特定期間が経過した後の前記実施予定時期に前記医療行為の実施の必要性を認識することが可能となる。
【００１１】
また、前記実施予定条件は、前記医療行為の内容及び前記医療行為の実施予定間隔を含むことが考えられる。この場合、前記登録処理部は、前回の前記医療行為の内容が前記実施予定条件で設定された前記医療行為の内容と一致する場合に、前回の前記医療行為の実施時期から前記実施予定間隔の経過後の時期を前記実施予定時期として設定することが考えられる。
【００１２】
ここで、前記画像表示処理部は、受診対象の患者の一覧が表示される第１表示画面において、前記患者ごとに対応する表示位置に前記画像を表示させることが考えられる。また、前記画像表示処理部は、前記患者の診療情報が表示される前に、前記画像が表示される第２表示画面を表示させることが考えられる。さらに、前記画像表示処理部は、前記患者の診療情報が表示される第３表示画面に前記画像を表示させることが考えられる。これらの構成によれば、ユーザーに適宜のタイミングで前記画像を認識させることができる。
【００１３】
また、前記登録処理部が、前記第３表示画面における前記医療行為の内容の入力に応じて次回の前記医療行為の実施予定時期を前記自動設定情報に基づいて登録するものであることが考えられる。この場合、前記画像表示処理部が、現在表示されている前記第３表示画面に、前記登録処理部によって登録された次回の前記医療行為の実施予定時期に対応する前記画像を表示させることが考えられる。これにより、前記第３表示画面で入力された前記医療行為の内容に応じて、現在表示中の前記第３表示画面に前記画像が表示されることがある。従って、ユーザーは、前記医療行為を入力した時点で、次回の実施予定時期が登録されたことを認識することが可能である。例えば、ユーザーは、前記医療行為が定期的に実施するべきものであること、及び次に前記医療行為を行うことが可能となるまでの期間が定められていること等を容易に把握することができる。
【００１４】
また、前記登録処理部が、特定の時期の指定、及び次回診察時が前記実施予定時期であることの指定を含む複数の指定方法から選択して行われるユーザー操作に応じて、次回の前記医療行為の実施予定時期を前記患者ごとに個別に登録することが可能であることが考えられる。これにより、前記アラーム画像を表示させるタイミングとして、年月日などの特定の時期が指定される方法と、前記次回診察時のように不特定の時期が指定される方法とを選択的に用いることができる。
【００１５】
また、前記画像表示処理部は、前記残存期間が第１閾値未満である場合に第１画像を表示させ、前記残存期間が前記第１閾値以上であって第２閾値未満である場合に前記第１画像と異なる第２画像を表示させ、前記残存期間が前記第２閾値以上である場合に前記第１画像及び前記第２画像と異なる第３画像を表示させることが考えられる。例えば、前記第１画像と前記第２画像及び前記第３画像とは形状が異なり、前記第２画像と前記第３画像とは表示態様が異なるものであることが考えられる。これにより、ユーザーは、前記画像の種別によって前記残存期間を直感的に把握することができる。
【００１６】
また、前記画像表示処理部は、前記残存期間が第１閾値未満である場合に第１画像を表示させ、前記残存期間が前記第１閾値以上である場合に前記第１画像と異なる第２画像を表示させることが考えられる。この場合にも、ユーザーは、前記画像の種別によって前記残存期間を直感的に把握することができる。
【００１７】
ところで、前記画像表示処理部は、前記患者に対応付けて次回の前記医療行為の実施予定時期が登録されていない場合に前記画像の表示位置に、予め設定された第４画像を表示することが考えられる。これにより、ユーザーは、前記第４画像を参照することにより、前記患者について次回の前記医療行為の実施予定時期が登録されていないことを確認することができる。
【発明の効果】
【００１８】
本発明によれば、ユーザーに患者ごとの医療行為の実施予定時期を容易に認識させることが可能な医療用事務処理システムが実現される。
【図面の簡単な説明】
【００１９】
【図１】図１は、本発明の実施の形態に係る医療用事務処理システムの概略構成を示す模式図である。
【図２】図２は、本発明の実施の形態に係る医療用事務処理システムの詳細構成を示すブロック図である。
【図３】図３は、本発明の実施の形態に係る医療用事務処理システムで用いられるアラームマスターの一例を示す図である。
【図４】図４は、本発明の実施の形態に係る医療用事務処理システムで用いられる対応情報の一例を示す図である。
【図５】図５は、本発明の実施の形態に係る医療用事務処理システムで実行される自動アラーム登録処理の一例を示すフローチャート。
【図６】図６は、本発明の実施の形態に係る医療用事務処理システムで表示される画面の一例を示す図である。
【図７】図７は、本発明の実施の形態に係る医療用事務処理システムで表示される画面の一例を示す図である。
【図８】図８は、本発明の実施の形態に係る医療用事務処理システムで表示される画面の一例を示す図である。
【図９】図９は、本発明の実施の形態に係る医療用事務処理システムで実行されるアラーム表示処理の一例を示すフローチャート。
【図１０】図１０は、本発明の実施の形態に係る医療用事務処理システムで表示される画面の一例を示す図である。
【図１１】図１１は、本発明の実施の形態に係る医療用事務処理システムで表示される画面の一例を示す図である。
【図１２】図１２は、本発明の実施の形態に係る医療用事務処理システムで表示される画面の一例を示す図である。
【図１３】図１３は、本発明の実施の形態に係る医療用事務処理システムで表示される画面の一例を示す図である。
【図１４】図１４は、本発明の実施の形態に係る医療用事務処理システムで表示される画面の一例を示す図である。
【図１５】図１５は、本発明の実施の形態に係る医療用事務処理システムで表示される画面の一例を示す図である。
【図１６】図１６は、本発明の実施の形態に係る医療用事務処理システムで表示される画面の一例を示す図である。
【図１７】図１７は、本発明の実施の形態に係る医療用事務処理システムで表示される画面の一例を示す図である。
【図１８】図１８は、本発明の実施の形態に係る医療用事務処理システムで表示される画面の一例を示す図である。
【図１９】図１９は、本発明の実施の形態に係る医療用事務処理システムで表示される画面の一例を示す図である。
【図２０】図２０は、本発明の実施の形態に係る医療用事務処理システムで表示される画面の一例を示す図である。
【図２１】図２１は、本発明の実施の形態に係る医療用事務処理システムで表示される画面の一例を示す図である。
【図２２】図２２は、本発明の実施の形態に係る医療用事務処理システムで表示される画面の一例を示す図である。
【発明を実施するための形態】
【００２０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００２１】
［医療用事務処理システム１］
図１に示すように、本発明の実施の形態に係る医療用事務処理システム１は、サーバー１０及び複数のクライアント装置２０を備える。前記サーバー１０及び前記クライアント装置２０は、ＬＡＮ又はインターネット等のネットワーク３０を介して通信可能である。
【００２２】
［サーバー１０］
図２に示すように、前記サーバー１０は、制御部１１、記憶部１２、表示部１３、操作部１４、通信ＩＦ１５、及びドライブ装置１６などを備えるコンピュータである。なお、前記サーバー１０は、前記サーバー１０が使用される病院又は薬局等の医療機関の内部又は外部に設けられる。前記サーバー１０は、患者の診療情報（電子カルテ）を管理する電子カルテシステム、及び患者の会計情報を管理するレセプト電算処理システムの機能を有する。例えば、前記サーバー１０は、前記クライアント端末２０の操作に応じて診療情報の登録及び更新などのカルテ編集処理を実行する。また、前記サーバー１０は、前記クライアント端末２０の操作に応じて会計情報の登録及び更新などの会計処理を実行する。
【００２３】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００２４】
前記記憶部１２は、前記制御部１１によって実行される各種の制御プログラム及び各種のデータが記憶されるハードディスク、ＳＳＤ、又はフラッシュメモリ等の不揮発性の記憶部である。具体的に、前記記憶部１２は、プログラム領域１２１、データ領域１２２、マスター領域１２３などの記憶領域を有する。
【００２５】
前記プログラム領域１２１には、前記制御部１１に各種の処理を実行させるための医療用事務処理プログラムが記憶される。なお、前記プログラム領域１２１には、オペレーティングシステム（ＯＳ）及びブラウザソフトなどのアプリケーションプログラムも記憶されている。
【００２６】
前記データ領域１２２には、患者の診療に関する診療情報及び会計情報などの事務処理情報が蓄積して記憶される。前記診療情報及び前記会計情報などは、例えば前記クライアント装置２０を用いたユーザー操作に応じて前記サーバー１０に入力される。また、前記データ領域１２２に記憶された前記事務処理情報は、医師、看護師、薬剤師、及び医療事務員などの医療従事者により前記クライアント装置２０を用いて参照及び編集される。
【００２７】
前記マスター領域１２３には、薬品マスター、医療行為マスター、病名マスター、適応症マスター、及びアラームマスター（自動設定情報の一例）などの各種のマスター情報が記憶される。前記薬品マスターには、薬品に関するデータとして、例えば薬品の区分、ＹＪコード、一般名（成分名）、品名、規格、及び薬価などが記憶されている。ＹＪコードは、１２桁の個別医薬品コードであり、薬価基準収載医薬品コードをより細分化したコードである。前記医療行為マスターには、例えば患者に注射をする等の医療行為に関するデータが記憶される。前記病名マスターには、世界保険機構（ＷＨＯ）により定められた「疾病及び関係保険問題の国際統計分類第１０回修正」の病名を示すコード番号（ＩＣＤ−１０コード）とレセプト電算コードとが対応付けて記憶されている。前記適応症マスターには、医療行為の内容と前記医療行為に適応する病名との対応関係が記憶されており、前記適応症マスターは、患者の診療情報として入力された医療行為の内容と病名とが適応しているか否かを判定する適応症チェックに用いられる。
【００２８】
ここに、図３は、前記アラームマスターの一例を示す図である。図３に示されているように、前記アラームマスターでは、患者が受診する診療科(患者が属するグループの一例)ごとに対応付けて、次回の医療行為の実施予定時期を自動的に設定するための実施予定条件を示すテーブル情報が登録される。
【００２９】
なお、本実施形態において、前記実施予定時期とは、次回の前記医療行為が実施可能となる時期であって、例えば抗がん剤投与のように予め設定された所定期間が経過しなければ実施を行うことができない場合に、その所定時間の経過時期を示すものである。即ち、前記実施予定時期は、前記所定期間の経過を厳密に管理するべき医療行為の実施可能時期を示しており、例えば前記所定経過の経過を厳密に管理する必要のない採決又は検尿などの医療行為を実施する期限などを示す時期ではない。なお、他の実施形態として、前記実施予定時期が、次回の前記医療行為を実施する期限などを示す時期の意味で用いられることも考えられる。
【００３０】
前記実施予定条件には、アラーム項目及びアラーム周期が含まれる。前記アラーム項目は、医療行為の区分（医薬品及び診療行為など）と、医療行為の名称（薬品名及び検査名など）とを含む。また、前記アラーム周期は、医療行為の実施間隔であり、前記医療行為の次回の実施予定時期を特定するために用いられる。なお、前記医療用事務処理システム１では、前記制御部１１が、後述の自動アラーム登録処理（図５参照）を実行することにより、ユーザー操作に応じて前記アラームマスターを編集することが可能である。
【００３１】
前記表示部１３は、前記制御部１１からの制御指示に従って各種の情報を表示する液晶ディスプレイ又は有機ＥＬディスプレイなどの表示部である。前記操作部１４は、前記サーバー１０に各種の情報を入力するためにユーザーによって操作される操作部である。具体的に、前記操作部１４は、前記表示部１３に表示される各種の操作画面における入力操作を受け付けるキーボード及びマウス（ポインティングデバイス）を含む。また、前記操作部１４は、前記表示部１３に表示される各種の操作画面に対するタッチ操作を受け付けるタッチパネル、又は音声認識により各種情報の入力を受け付ける音声入力装置を含むものであってもよい。
【００３２】
前記通信ＩＦ１５は、前記ネットワーク３０を介して前記クライアント端末２０などの外部機器との間で、予め定められた通信プロトコルに従って無線又は有線でデータ通信を実行するネットワークカード等を有する通信インターフェースである。
【００３３】
前記ドライブ装置１６は、前記医療用事務処理プログラムなどが記録されたコンピュータ読み取り可能な記録媒体１６１から前記医療用事務処理プログラムなどの情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１０では、前記制御部１１により、前記ドライブ装置１６を用いて前記記録媒体１６１から読み取られた前記医療用事務処理プログラムが前記プログラム領域１２１に記憶される。
【００３４】
このように構成された前記サーバー１０では、前記制御部１１が、登録処理部１１１、画像表示処理部１１２、情報設定処理部１１３、一括転帰入力処理部１１４、及び適応症判定処理部１１５を含む。具体的に、前記制御部１１は、前記医療用事務処理プログラムに従って各種の処理を実行することにより、前記登録処理部１１１、前記画像表示処理部１１２、前記情報設定処理部１１３、前記一括転帰入力処理部１１４、及び前記適応症判定処理部１１５として機能する。なお、前記一括転帰入力処理部１１４及び前記適応症判定処理部１１５については後述する。
【００３５】
前記登録処理部１１１は、患者に対応付けて次回の医療行為の実施予定時期を登録することが可能である。具体的に、前記登録処理部１１１は、前記クライアント端末２０のユーザー操作に応じて前記実施予定時期を登録することが可能である。また、前記登録処理部１１１は、前記患者の診療情報が登録された場合、前記診療情報と前記アラームマスターとに基づいて、前記患者の次回の前記医療行為の実施予定時期を自動的に登録することが可能である。なお、前記登録処理部１１１により登録される前記実施予定時期を含むアラーム情報は、例えば前記患者に対応する前記診療情報の一部として前記記憶部１２のデータ領域１２２に記憶される。また、前記患者の氏名又はＩＤなどの識別情報と前記アラーム情報とが対応付けられて前記診療情報とは別に前記データ領域１２２などに記憶されてもよい。
【００３６】
前記画像表示処理部１１２は、残存期間と予め設定されたアラーム画像（アイコン）とが対応付けられた対応情報に基づいて、現在から前記実施予定時期までの前記残存期間に対応する前記アラーム画像を表示することが可能である。具体的に、前記画像表示処理部１１２は、後述の受診リスト画面Ｄ２、アラーム画面Ｄ３、及び電子カルテ編集画面Ｄ５等に前記アラーム画像を表示させることが可能である。なお、前記残存期間は、現在と前記実施予定時期との差分期間であり、前記実施予定時期を過ぎている場合、前記残存期間は０未満のマイナス期間である。また、本実施形態では、前記実施予定時期が、前回の前記医療行為から予め定められた所定期間が経過した時期を示すものであるため、前記実施予定時期の翌日に前記残存期間が０になる場合について説明するが、他の実施形態として、前記実施予定時期の当日に前記残存期間が０になることも考えられる。前記アラーム画像は、画像の形状及び表示態様のいずれか一方又は両方が前記残存期間に応じて異なるものである。さらに、前記表示態様は、前記アラーム画像の配色及びサイズのいずれか一方又は両方を含むものである。
【００３７】
ここに、図４は、前記対応情報の一例を示す図である。図４に示されているように、前記対応情報では、実施予定時期経過後に対応する第１アラーム画像、予定通知日経過後に対応する第２アラーム画像、予定通知日経過前に対応する第３アラーム画像、及び設定なしに対応する第４アラーム画像が設定されている。前記予定通知日は、前記医療用事務処理システム１の初期設定などに表示される後述の初期設定画面Ｄ４（図１１参照）においてユーザーが予め任意に設定可能な時期である。前記第１アラーム画像は、アラームが鳴動している状態を示す画像であり、前記第２アラーム画像及び前記第３アラーム画像は、アラームが鳴動していない状態を示す画像である。また、前記第４アラーム画像は、前記第３アラーム画像に「ＯＦＦ」の文字が付加された画像である。
【００３８】
さらに、前記第１アラーム画像、前記第２アラーム画像、及び前記第３アラーム画像は、前記残存期間に応じて配色（表示態様の一例）が異なる。具体的に、前記第１アラーム画像は、予め設定された赤色などの第１特定色であり、前記第２アラーム画像は、予め設定された青色などの第２特定色であり、前記第３アラーム画像及び前記第４アラーム画像は、予め設定された灰色などの第３特定色である。なお、他の実施形態として、前記第１アラーム画像の表示態様が点滅表示であり、前記第２アラーム画像、前記第３アラーム画像、及び前記第４アラーム画像の表示態様が点灯表示であることも考えられる。
【００３９】
前記情報設定処理部１１３は、前記アラームマスター（図３参照）を任意に設定可能である。具体的に、前記情報設定処理部１１３は、後述の自動アラーム登録処理（図５参照）を実行することによって前記アラームマスターを設定可能である。
【００４０】
［クライアント装置２０］
一方、図２に示すように、前記クライアント端末２は、制御部２１、記憶部２２、表示部２３、操作部２４、通信ＩＦ２５、及びドライブ装置２６などを備えるコンピュータである。前記クライアント端末２は、病院の診察室、調剤が行われる調剤室、患者が入院する病棟、及び会計窓口などに設けられ、医師、薬剤師、看護師、及び事務員などの医療従事者によって用いられる操作端末である。
【００４１】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４２】
前記記憶部２２は、前記制御部２１によって実行される各種の制御プログラム及び各種のデータが記憶されるハードディスク、ＳＳＤ、又はフラッシュメモリ等の不揮発性の記憶部である。具体的に、前記記憶部２２には、オペレーティングシステム（ＯＳ）及びブラウザソフトなどのアプリケーションプログラムが記憶される。前記ブラウザソフトは、前記ネットワーク３０を介して前記サーバー１０にアクセスすることにより前記操作部２３に各種の操作画面などを表示させると共に、前記操作画面における前記操作部２４を用いた入力操作を前記サーバー１０に伝達するためのアプリケーションソフトウェアである。具体的に、前記制御部２１は、前記ブラウザソフトにより表示される操作画面の所定位置に、前記サーバー１０に対応するＵＲＬ（Universal  Resource  Locator）などのアドレス情報が入力された場合に、該アドレス情報に基づいて前記サーバー１０にアクセスする。
【００４３】
前記表示部２３は、前記制御部２１からの制御指示に従って各種の情報を表示する液晶ディスプレイ又は有機ＥＬディスプレイなどの表示部である。前記操作部２４は、前記クライアント端末２に各種の情報を入力するためにユーザーによって操作される操作部である。具体的に、前記操作部２４は、前記表示部２３に表示される各種の操作画面における入力操作を受け付けるキーボード及びマウス（ポインティングデバイス）を含む。また、前記操作部２４は、前記表示部２３に表示される各種の操作画面に対するタッチ操作を受け付けるタッチパネル、又は音声認識により各種情報の入力を受け付ける音声入力装置を含むものであってもよい。
【００４４】
前記通信ＩＦ２５は、前記ネットワーク３０を介して前記サーバー１０などの外部機器との間で、予め定められた通信プロトコルに従って無線又は有線でデータ通信を実行するネットワークカード等を有する通信インターフェースである。
【００４５】
前記ドライブ装置２６は、前記ＯＳ又は前記ブラウザソフトなどが記録されたコンピュータ読み取り可能な記録媒体２６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記プログラム領域２２１に記憶される。
【００４６】
そして、前記医療用事務処理システム１では、前記サーバー１０及び前記クライアント端末２０によりサーバクライアントシステムが構成され、前記サーバー１０が前記クライアント端末２０のユーザー操作に応じて各種情報の表示、記録、及び印刷などの処理などを実行する。即ち、以下に説明する「表示」、「操作」、「選択」、及び「入力」などは、前記クライアント端末２０の前記表示部２３及び前記操作部２４を用いて行われる。
【００４７】
ところで、患者に対して例えば数ヶ月に１度のように定期的に検査、処置、又は投薬指示などの医療行為を行う場合には、患者ごとに次回の医療行為の実施予定時期を管理する必要がある。これに対し、従来の医療用事務処理システムでも、例えば患者の診療情報の備考欄などにその患者の医療行為の実施予定時期などをテキスト情報として記録することは可能であった。しかしながら、患者の診療情報の備考欄などにおけるテキスト情報の記録では、患者ごとの医療行為の実施予定時期を医師などのユーザーに容易に認識させることができない。一方、前記医療用事務処理システム１では、ユーザーである医師などの医療従事者に患者ごとの医療行為の実施予定時期を容易に認識させることが可能である。
【００４８】
［自動アラーム登録処理］
まず、図５を参照しつつ、前記サーバー１０の前記制御部１１によって実行される自動アラーム登録処理について説明する。前記自動アラーム登録処理は、例えば、前記クライアント端末２０の操作部２４などのユーザー操作に応じて前記アラームマスターの編集開始要求が前記サーバー１０に入力された場合に、前記制御部１１によって実行される。なお、前記自動アラーム登録処理は、前記制御部１１の情報設定処理部１１３によって実行される。
【００４９】
＜ステップＳ１０１＞
まず、ステップＳ１０１において、前記制御部１１は、前記マスター領域１２３に記憶されている前記アラームマスターに登録された各テーブル情報の一覧を示す自動アラーム一覧画面Ｄ０を前記クライアント端末２０に表示させる。ここに、図６は、前記自動アラーム一覧画面Ｄ０の一例を示す図である。図６に示されているように、前記アラームマスターの各テーブルには、区分、項目、診療科、アラーム周期、及びアラーム日などの情報が含まれる。
【００５０】
＜ステップＳ１０２＞
ステップＳ１０２において、前記制御部１１は、前記自動アラーム一覧画面Ｄ０に対して前記アラームマスターの各テーブル情報の編集開始操作を待ち受ける（Ｓ１０２：Ｎｏ）。例えば、前記制御部１１は、前記自動アラーム一覧画面Ｄ０において「追加」又は「修正」に対応する操作キーが操作された場合に、前記アラームマスターの各テーブル情報の編集開始操作が行われたと判断する。そして、前記制御部１１は、前記アラームマスターの各テーブル情報の編集開始操作が行われたと判断すると（Ｓ１０２：Ｙｅｓ）、処理をステップＳ１０３に移行させる。なお、前記制御部１１は、前記自動アラーム一覧画面Ｄ０におけるユーザー操作に応じて前記テーブル情報各々を個別に削除することも可能である。
【００５１】
＜ステップＳ１０３＞
ステップＳ１０３において、前記制御部１１は、前記アラームマスターの各テーブル情報を編集するためのアラーム登録画面Ｄ１を前記クライアント端末２０に表示させる。なお、前記自動アラーム一覧画面Ｄ０で「追加」の操作キーが操作された場合には、予め設定された初期状態で前記アラーム登録画面Ｄ１が表示される。また、前記自動アラーム一覧画面Ｄ０で「修正」の操作キーが操作された場合には、前記自動アラーム一覧画面Ｄ０において選択されている前記アラーム情報の設定内容が前記アラーム登録画面Ｄ１に表示される。ここに、図７は、前記アラーム登録画面Ｄ１の一例を示す図である。図７に示されているように、前記アラーム登録画面Ｄ１は、前記アラームマスターの各テーブル情報に含まれる区分、項目、診療科、アラーム周期、及びアラーム日を設定するための操作画面である。
【００５２】
前記区分では、アラーム表示を行う医療行為の区分が設定される。具体的に、前記区分は、内服、頓服、外用、注射、自己注射、神経ブロック、処置、手術、検査、画像、麻酔、リハビリ・精神、医学管理、在宅、及びＴｏＤｏなどから選択可能である。前記診療科は、アラーム表示を行う対象となるグループを示すものであり、例えば、共通（全体）、内科、眼科、整形外科、及び精神科などから選択可能である。図７に示されている例では、前記区分として「検査」が選択され、前記診療科として「共通」が選択されている。
【００５３】
前記アラーム項目では、アラーム表示を行う医療行為の分類として、医薬品、材料、及び診療行為のいずれかが択一的に選択可能である。また、前記アラーム項目では、キーワード入力により医薬品、材料、又は診療行為の名称の選択候補が表示され、前記名称のいずれかが択一的に選択可能である。図７に示されている例では、前記医療行為の分類として「診療行為」が選択され、前記医療行為の名称として「眼底カメラ撮影（自発蛍光撮影）」が選択されている。
【００５４】
前記アラーム期間では、アラーム表示を行う医療行為の実施予定間隔が設定される。具体的に、前記アラーム期間では、前記医療行為の実施予定間隔として、前回の医療行為の実施時期（前回オーダー日）からの経過時間が設定可能である。前記経過時間は、日単位、週単位、月単位、又は年単位などで任意に設定可能である。図７に示されている例では、前記医療行為の実施予定時期が到来した旨のアラーム表示を行うタイミングが、前回の医療行為の実施時期から３ヶ月後に設定されている。また、前記アラーム期間の設定項目として、前記医療行為の実施予定時期を「年月日」及び「年月」のいずれで管理するかを選択することも可能である。
【００５５】
なお、前記アラーム登録画面Ｄ１では、前記アラーム期間を日付指定又は次回診察時に設定するための操作キーも表示されている。但し、前記アラームマスターの編集処理時には、前記アラーム期間の設定方法として前回の医療行為の実施時期からの経過時間のみが設定可能であり、前前記日付指定及び前記次回診察時の項目は選択不可（例えばグレーアウト表示）となっている。一方、前記アラーム登録画面Ｄ１は、患者ごとに前記医療行為の実施予定時期を個別に設定する際にも用いられる。例えば、後述のアラーム画面Ｄ３（図１０又は図１２参照）に表示されている「追加」の操作キーが表示された場合に前記アラーム登録画面Ｄ１が表示される。この場合、前記アラーム期間では、前回の医療行為の実施時期からの経過時間の他に、前記日付指定及び前記次回診察時も選択可能である。また、患者ごとに前記医療行為の実施予定時期を個別に設定する際には、前記患者に対応する診療情報に基づいて前回の前記医療行為の実施時期が表示される。
【００５６】
なお、前記次回診察時は、次回の診察時が前記医療行為の実施予定であることを指定するための選択候補であり、前記次回診察時が選択された場合には、前記制御部１１が、患者の次回の診察受付時又は診察開始時に、その時点を前記実施予定時期として判断し、後述の受付リスト画面Ｄ３及び電子カルテ編集画面Ｄ５においてアラーム表示を行う。このとき、前記アラーム表示で表示されるアラーム画像は、例えば前記第１アラーム画像であってもよいが、前記第１アラーム画像〜前記第４アラーム画像とは別に、前記次回診察時に対応して予め設定された第５アラーム画像であってもよい。このように、前記医療用事務処理システム１では、制御部１１が、前回の前記医療行為の実施時期からの経過時間の指定又は任意の日付指定のように特定の時期の指定と、次回診察時が前記実施予定時期であることの指定とを含む複数の指定方法から選択して行われるユーザー操作に応じて、次回の前記医療行為の実施予定時期を前記患者ごとに個別に登録することが可能である。即ち、前記アラーム画像を表示させるタイミングとして、年月日などの特定の時期が指定される方法と、前記次回診察時のように不特定の時期が指定される方法とを選択的に用いることができる。
【００５７】
＜ステップＳ１０４＞
ステップＳ１０４において、前記制御部１１は、前記アラーム登録画面Ｄ１における前記アラーム項目の名称の検索操作を待ち受ける（Ｓ１０４：Ｎｏ）。ここで、前記制御部１１は、前記検索操作が行われたと判断した場合（Ｓ１０４：Ｙｅｓ）、処理をステップＳ１０５に移行させる。
【００５８】
＜ステップＳ１０５＞
ステップＳ１０５において、前記制御部１１は、前記アラーム登録画面Ｄ１で入力されたキーワードに基づいて検索された医療行為の名称の選択候補を表示する候補画面（不図示）を前記クライアント端末２０に表示させる。ここで、前記制御部１１は、前記候補画面（不図示）において前記選択候補のいずれかの選択操作に応じて前記アラーム項目の名称を選択し、前記アラーム登録画面Ｄ１に入力する。
【００５９】
＜ステップＳ１０６＞
ステップＳ１０６において、前記制御部１１は、予め設定された登録操作を待ち受ける（Ｓ１０６：Ｎｏ）。なお、前記登録操作は、例えば前記アラーム登録画面Ｄ１における「ＯＫ」の操作キーの操作である。そして、前記制御部１１は、前記登録操作が行われたと判断した場合（Ｓ１０６：Ｙｅｓ）、処理をステップＳ１０７に移行させる。
【００６０】
＜ステップＳ１０７＞
ステップＳ１０７において、前記制御部１１は、前記アラーム登録画面Ｄ１に入力されている内容を前記アラームマスターにテーブル情報として登録する。なお、前記ステップＳ１０３において、前記アラームマスターに既に登録されているテーブル情報が読み出されていた場合、前記制御部１１は、前記テーブル情報を上書き保存する。
【００６１】
このように、前記アラームマスターに各テーブル情報が登録されると、前述したように、前記登録処理部１１１は、患者の診療情報が入力された場合に、前記診療情報の内容と前記アラームマスターとに基づいて、前記患者の次回の医療行為の実施予定時期を含む前記アラーム情報を前記患者に対応付けて前記データ領域１１２に記憶させる。
【００６２】
［アラーム表示処理］
次に、図８を参照しつつ、前記サーバー１０の前記制御部１１によって実行されるアラーム表示処理について説明する。前記アラーム表示処理は、前記クライアント端末２０の操作部２４などのユーザー操作に応じて、患者の診療情報の編集処理を実行するための電子カルテ編集要求が前記サーバー１０に入力された場合に、前記制御部１１によって実行される。例えば、前記医療用事務処理プログラムに含まれる電子カルテプログラムが起動され、受診リストの表示操作が行われることにより、前記制御部１１は、前記アラーム表示処理を開始する。なお、前記アラーム表示処理は、前記制御部１１の画像表示処理部１１２によって実行される。
【００６３】
＜ステップＳ２０１＞
まず、ステップＳ２０１において、前記制御部１１は、受診対象の患者を選択するための受診リスト画面Ｄ２を前記クライアント端末２０に表示させる。前記受診リスト画面Ｄ２は、受診対象の患者の一覧が表示される第１表示画面の一例である。ここに、図９は、前記受診リスト画面Ｄ２の一例を示す図である。図９に示されているように、前記受診リスト画面Ｄ２には、例えば当日診療を受ける予定の患者の一覧が表示される。
【００６４】
特に、前記受診リスト画面Ｄ２には、患者各々に対応する診察アラーム欄Ａ２１が設けられている。そして、前記制御部１１は、前記受診リスト画面Ｄ２を表示する際、患者各々に対応付けられた前記アラーム情報と前記対応情報(図４参照)とに基づいて、前記患者ごとに対応する表示位置である前記診察アラーム欄Ａ２１に前記アラーム画像を表示させる。なお、前記制御部１１は、前記受診リスト画面Ｄ２における前記診察アラーム欄Ａ２１の表示の有無を、前記医療用事務処理システム１の初期設定などにおけるユーザー操作に応じて予め設定可能である。
【００６５】
例えば、現在から前記アラーム情報に含まれる前記実施予定時期までの残存期間が０未満である場合、即ち前記実施予定時期経過後である場合には、前記診察アラーム欄Ａ２１に前記第１アラーム画像が表示される。また、現在から前記アラーム情報に含まれる前記実施予定時期までの残存期間が０以上であり、前記予定通知日までの残存期間が０未満である場合、即ち前記予定通知日経過後である場合には、前記診察アラーム欄Ａ２１に前記第２アラーム画像が表示される。さらに、現在から前記アラーム情報に含まれる前記実施予定時期までの残存期間が０以上であり、前記予定通知日までの残存期間が０以上である場合、即ち前記予定通知日経過前である場合には、前記診察アラーム欄Ａ２１に前記第３アラーム画像が表示される。これにより、ユーザーは、前記受診リスト画面Ｄ２のような一覧画面において前記患者各々の次回の医療行為の実施予定時期までの残存期間などを直感的に認識することができる。なお、前記制御部１１は、前記サーバー１０のシステムクロックが示す年月日を現在の年月日として前記残存期間などを判断する。
【００６６】
ところで、前記制御部１１は、前記アラーム情報が登録されていない場合であっても、前記受診リスト画面Ｄ２では、前記診察アラーム欄Ａ２１に前記第４アラーム画像を表示させることなく、前記診察アラーム欄Ａ２１に空白を表示させる。これにより、前記受診リスト画面Ｄ２のような一覧画面において前記患者ごとに前記アラーム情報の有無を容易に確認可能である。なお、前記受診リスト画面Ｄ２においても、前記制御部１１が、前記アラーム情報が登録されていない患者に対応する前記診察アラーム欄Ａ２１に、前記第４アラーム画像を表示させることも他の実施形態として考えられる。
【００６７】
＜ステップＳ２０２＞
ステップＳ２０２において、前記制御部１１は、前記受診リスト画面Ｄ２に表示されている前記診察アラーム欄Ａ２１のいずれかの詳細情報を表示させるためのアラーム詳細表示操作が行われたか否かを判断する。なお、前記診察アラーム欄Ａ２１の選択操作は、例えば前記操作部２４のマウスによる前記診察アラーム欄Ａ２１のダブルクリックなどの操作である。そして、前記制御部１１は、前記アラーム詳細表示操作が行われたと判断すると（Ｓ２０２：Ｙｅｓ）、処理をステップＳ２０３に移行させ、前記アラーム詳細表示操作が行われていない場合は（Ｓ２０２：Ｎｏ）、処理をステップＳ２０４に移行させる。
【００６８】
＜ステップＳ２０３＞
ステップＳ２０３において、前記制御部１１は、前記診察アラーム欄Ａ２１に対応する患者の前記アラーム情報を前記データ領域１２２から読み出し、前記アラーム情報を表示するアラーム画面Ｄ３（第２表示画面の一例）を前記クライアント端末２０に表示させる。即ち、前記アラーム画面Ｄ３は、前記診療情報が表示される後述の電子カルテ編集画面Ｄ５が表示される前に表示される。ここに、図１０は、前記アラーム画面Ｄ３の一例を示す図である。具体的に、前記アラーム画面Ｄ３には、前記診察アラーム欄Ａ２１に対応する前記アラーム情報の内容として、アラーム日（次回の医療行為の実施予定時期）、医療行為の区分、項目（医療行為の名称）、前回オーダー日（前回の医療行為の実施予定時期）、及びアラーム周期が表示されている。また、前記アラーム画面Ｄ３においても、前記受診リスト画面Ｄ２（図９参照）と同様に、現在から前記アラーム情報に含まれる前記アラーム日までの残存期間に対応する前記アラーム画像が診察アラーム欄Ａ３１に表示される。また、前記アラーム画面Ｄ３では、患者ごとに対応する前記アラーム情報の追加、修正、及び削除に対応する操作キーが表示されており、前記制御部１１は、前記操作キーの操作に応じて、患者ごとの前記アラーム情報の追加、修正、及び削除を個別に行うことも可能である。
【００６９】
ところで、患者の情報が一覧表示される前記受診リスト画面Ｄ２（図９参照）では、前記診察アラーム表示欄Ａ２１の面積が小さくなるため、前記アラーム画像のサイズが同じであった。一方、図１０に示すように、前記制御部１１は、前記アラーム画面Ｄ３において、前記アラーム画像各々のサイズを前記残存期間に応じて変化させる。具体的に、前記実施予定時期経過後に対応する前記第１アラーム画像は、前記実施予定時期経過前に対応する前記第２アラーム画像、前記第３アラーム画像、及び前記第４アラーム画像に比べて大きいサイズで表示される。これにより、ユーザーは、前記第１アラーム画像を直感的に認識することができる。なお、前記第１アラーム画像が最も大きく、前記第２アラーム画像、前記第３アラーム画像、及び前記第４アラーム画像の順で段階的に小さくなるように表示されてもよい。
【００７０】
また、本実施形態では、現在から前記実施予定時期及び前記予定通知日までの前記残存期間に応じて３つの前記第１アラーム画像、前記第２アラーム画像、及び前記第３アラーム画像が選択的に表示される場合について説明する。一方、現在から前記実施予定時期までの前記残存期間が第１閾値未満である場合に第１アラーム画像を表示させ、前記残存期間が前記第１閾値以上である場合に前記第１アラーム画像と異なる第２アラーム画像を表示させることも考えられる。この場合でも、ユーザーは、前記アラーム画像の種別によって前記残存期間を直感的に把握することができる。
【００７１】
＜ステップＳ２０４＞
また、ステップＳ２０４において、前記制御部１１は、前記受診リスト画面Ｄ２で受診対象の患者の選択操作が行われたか否かを判断する。具体的に、前記制御部１１は、前記受診リスト画面Ｄ２において、患者が選択されると共に、「カルテ表示」の操作キーの操作が行われた場合に、患者の選択操作が行われたと判断する。そして、前記制御部１１は、患者の選択操作が行われたと判断すると（Ｓ２０４：Ｙｅｓ）、処理をステップＳ２０５に移行させ、患者の選択操作が行われていなければ（Ｓ２０４：Ｎｏ）、処理を前記ステップＳ２０２に戻す。
【００７２】
＜ステップＳ２０５＞
ステップＳ２０５において、前記制御部１１は、診療開始時の診察アラーム機能が有効に設定されているか否かを判断する。そして、前記制御部１１は、前記診察アラーム機能が有効に設定されていると判断されると（Ｓ２０５：Ｙｅｓ）、処理をステップＳ２０６に移行させ、前記診察アラーム機能が無効に設定されていると判断されると（Ｓ２０５：Ｎｏ）、処理をステップＳ２０９に移行させる。
【００７３】
前記診察アラーム機能は、前記制御部１１が、患者の次回の医療行為の実施予定時期などの前記アラーム情報を通知するためのアラーム画面を予め設定されたタイミングで表示させる機能である。例えば、前記制御部１１は、前記サーバー１０の初期設定を行うための初期設定画面Ｄ４におけるユーザー操作に応じて前記診察アラーム機能の有効及び無効を切り替える。
【００７４】
ここに、図１１は、前記初期設定画面Ｄ４の一例を示す図である。図１１に示す例では、前記初期設定画面Ｄ４に表示されている診察アラーム項目Ａ４１において、「診療開始時の表示」、「中断再開時の表示」、「カルテ点検開始時の表示」、及び「カルテ点検再開時の表示」のタイミングごとに前記診察アラーム機能の有無が選択可能である。
【００７５】
そして、前記制御部１１は、前記診察アラーム項目Ａ４１における選択結果に応じて前記診察アラーム機能のタイミングごとの有効及び無効を設定する。前記ステップＳ２０５では、前記初期設定画面Ｄ４において「診療開始時の表示」に対応する前記診察アラーム機能が有効に設定されていた場合に、前記診察アラーム機能が有効であると判断される。なお、他の実施形態として、前記タイミングごとではなく一括して前記診察アラーム機能の有効及び無効が切り替え可能な構成も考えられる。
【００７６】
また、前記初期設定画面Ｄ４では、前記アラーム画像の表示態様を切り替える条件となる前記予定通知日の設定が可能である。具体的には、前述したように前記予定通知日経過後に対応する前記第２アラーム画像と前記予定通知日経過前に対応する前記第３アラーム画像とは配色が異なる。なお、前記予定通知日は、例えば前記実施予定時期が到来するまでの残りの期間によって設定され、例えば日単位又は月単位で設定可能である。また、前記予定通知日は、前回の医療行為の実施時期からの経過期間によって設定されてもよい。さらに、本実施形態では、前記実施予定時期及び前記予定通知日の２つの指標を用いて前記実施予定時期までの残存期間に対応する前記アラーム画像が表示される場合について説明するが、３つ以上の時期的な指標を用いて前記実施予定時期までの残存期間に対応する前記アラーム画像の形状及び表示態様などが表示されてもよい。
【００７７】
＜ステップＳ２０６＞
ステップＳ２０６において、前記制御部１１は、前記ステップＳ２０４で選択された前記患者に対応付けられている前記アラーム情報を前記データ領域１２２から読み出し、前記アラーム情報を表示する前記アラーム画面Ｄ３（図１０参照）を前記クライアント端末２０に表示させる。このとき、前記制御部１１は、図１２に示すように、前記アラーム画面Ｄ３を表示させると共に、前記アラーム画面Ｄ３の背後に後述の電子カルテ編集画面Ｄ５を表示させる。特に、前記制御部１１は、前記アラーム画面Ｄ３を、前記電子カルテ編集画面Ｄ５に表示される患者名などの情報と重ならない位置に表示させる。これにより、ユーザーは、前記電子カルテ編集画面Ｄ５に表示される患者名などの情報と共に前記アラーム画面Ｄ３を参照することが可能である。また、この時点では前記電子カルテ編集画面Ｄ５が表示されず、前記アラーム画面Ｄ３に患者名などの情報が表示されることも考えられる。
【００７８】
なお、前記制御部１１は、前記診療情報に前記アラーム情報が対応付けられていない場合、前記アラーム画面Ｄ３に空白又はアラーム情報が設定されていない旨を表示させることが考えられる。また、前記制御部１１は、前記診療情報に前記アラーム情報が対応付けられていない場合には、処理をステップＳ２０８に移行させて、前記ステップＳ２０６における前記アラーム画面Ｄ３の表示を省略することも考えられる。
【００７９】
＜ステップＳ２０７＞
ステップＳ２０７において、前記制御部１１は、前記アラーム画面Ｄ３を閉じるための操作が行われたか否かを判断する。具体的に、前記制御部１１は、前記アラーム画面Ｄ３に表示される「ＯＫ」の操作キーが操作された場合に、前記アラーム画面Ｄ３を閉じるための操作が行われたと判断する。そして、前記制御部１１は、前記アラーム画面Ｄ３を閉じるための操作が行われたと判断されると（Ｓ２０７：Ｙｅｓ）、処理をステップＳ２０８に移行させ、前記アラーム画面Ｄ３を閉じるための操作が行われていない場合は（Ｓ２０７：Ｎｏ）、処理をステップＳ２７１に移行させる。
【００８０】
＜ステップＳ２７１＞
ステップＳ２７１において、前記制御部１１は、前記アラーム画面Ｄ３に表示された前記アラーム情報のいずれかについてオーダー操作が行われたか否かを判断する。具体的に、前記制御部１１は、前記アラーム画面Ｄ３において前記アラーム情報各々に対応付けて表示された「オーダー」の操作キーが操作された場合に、前記オーダー操作が行われたと判断する。そして、前記制御部１１は、前記オーダー操作が行われたと判断されると（Ｓ２７１：Ｙｅｓ）、処理をステップＳ２７２に移行させ、前記オーダー操作が行われていない場合は（Ｓ２７１：Ｎｏ）、処理を前記ステップＳ２０７に戻す。
【００８１】
＜ステップＳ２７２＞
ステップＳ２７２において、前記制御部１１は、前記オーダー操作に対応する前記アラーム情報に対応する医療行為を実施するためのオーダー画面（不図示）が表示され、前記オーダー画面（不図示）におけるユーザー操作に応じて従ってオーダー処理を実行する。例えば、前記医療行為が投薬指示に関するものである場合には、その投薬指示が行われる。また、前記医療行為が検査に関するものである場合には、その検査が実施される。そして、前記制御部１１は、前記オーダー処理を実行した前記医療行為についての前記アラーム情報を削除し、必要に応じて更に次の医療行為の実施予定時期に関する前記アラーム情報を設定する。
【００８２】
＜ステップＳ２７３＞
ステップＳ２７３において、前記制御部１１は、前記オーダー処理の結果を前記アラーム画面Ｄ３に反映させるために前記アラーム画面Ｄ３を更新する。これにより、前記ステップＳ２７２で前記オーダー処理が行われた医療行為に対応する前記アラーム画像の形状及び前記アラーム日などが適宜変更される。
【００８３】
＜ステップＳ２０８＞
一方、ステップＳ２０８において、前記制御部１１は、前記患者に対応する診療情報を編集するための電子カルテ編集画面Ｄ５（第３表示画面の一例）を前記クライアント端末２０に表示させる。なお、前記制御部１１は、当該アラーム表示処理とは別に、前記クライアント端末２０に表示された前記電子カルテ編集画面Ｄ５に対するユーザー操作に応じて患者の診療情報の編集処理及び記録処理を実行するが、その詳細な説明は省略する。
【００８４】
ここに、図１３は、前記電子カルテ編集画面Ｄ５の一例を示す図である。図１３に示すように、前記電子カルテ編集画面Ｄ５には、過去の診療情報が表示される過去カルテ領域Ａ５１、現在入力中の診療情報が表示される現在カルテ領域Ａ５２、患者の基本情報が表示される患者情報領域Ａ５３、及び診療情報の編集操作に用いられるキーパッドが表示されるキーパッド領域Ａ５４が表示されている。
【００８５】
特に、前記制御部１１は、前記電子カルテ編集画面Ｄ５において、前記患者に対応付けられた前記アラーム情報に基づいて前記第１アラーム画像〜前記第４アラーム画像のいずれかをアラーム画像領域Ａ５５に表示する。これにより、ユーザーは、前記電子カルテ編集画面Ｄ５においても、前記アラーム画像を参照して患者の医療行為の実施予定時期を容易に認識することが可能である。なお、前記電子カルテ編集画面Ｄ５において、前記第１アラーム画像〜前記第４アラーム画像のいずれかのアイコンが操作された場合、前記制御部１１は、前記アラーム情報の詳細が表示される前記アラーム画面Ｄ３を表示させる。なお、前記制御部１１は、前記患者に対応する前記アラーム情報及び前記診療情報に基づいて、前記電子カルテ編集画面Ｄ５の前記過去カルテ領域Ａ５１及び前記現在カルテ領域Ａ５２に表示された前記医療行為各々に対応付けて前記第１アラーム画像〜前記第４アラーム画像のいずれかを個別に表示させることも考えられる。
【００８６】
また、前記制御部１１は、前記電子カルテ編集画面Ｄ５における前記医療行為の内容の入力に応じて次回の前記医療行為の実施予定時期を前記アラームマスターに基づいて登録することが考えられる。この場合、前記制御部１１は、現在表示されている前記電子カルテ編集画面Ｄ５に、前記登録された次回の前記医療行為の実施予定時期に対応する前記アラーム画像を表示させることが考えられる。これにより、前記電子カルテ編集画面Ｄ５で入力された前記医療行為の内容に応じて、現在表示中の前記電子カルテ編集画面Ｄ５に前記アラーム画像が表示されることがある。従って、ユーザーは、前記医療行為を入力した時点で、次回の実施予定時期が登録されたことを認識することが可能である。例えば、ユーザーは、前記医療行為が定期的に実施するべきものであること、及び次に前記医療行為を行うことが可能となるまでの期間が定められていること等を容易に把握することができる。
【００８７】
ところで、本実施形態では、前記受診リスト画面Ｄ３などに患者の一覧が表示される際に前記患者ごとに対応付けて前記アラーム画像が表示される場合を例に挙げて説明した。一方、他の実施形態として、例えば前記クライアント端末２０の操作部２４などのユーザー操作に応じて患者各々の会計処理を実行するための会計リスト画面Ｄ６（第１表示画面の一例）に患者の一覧が表示される場合にも同様に、前記制御部１１が前記患者ごとに対応付けて前記アラーム画像を表示することが考えられる。ここに、図１４は、前記会計リスト画面Ｄ６の一例を示す図である。図１４に示すように、前記会計リスト画面Ｄ６にも、患者各々に対応する前記アラーム画像が表示される表示位置として診察アラーム欄Ａ６１が表示されている。
【００８８】
また、前記制御部１１は、前記受診リスト画面Ｄ２、前記アラーム画面Ｄ３、前記電子カルテ編集画面Ｄ５、及び前記会計リスト画面Ｄ６などの他に、例えば前記アラーム情報が登録されている患者の一覧を示すアラーム一覧画面Ｄ７を表示させることが可能であってもよい。ここに、図１５は、前記アラーム一覧画面Ｄ７の一例を示す図である。図１５に示すように、前記アラーム一覧画面Ｄ７においても、患者各々に対応する前記アラーム画像が表示される表示位置として診察アラーム欄Ａ７１が表示されている。
【００８９】
［アラーム情報設定処理］
次に、図１６を参照しつつ、前記サーバー１０の前記制御部１１によって実行されるアラーム情報設定処理について説明する。なお、前記アラーム情報設定処理は、前記制御部１１の前記登録処理部１１１によって実行される。
【００９０】
＜ステップＳ３０１＞
まず、ステップＳ３０１において、前記制御部１１は、前記電子カルテ編集画面Ｄ５における前記診療情報の登録を待ち受ける（Ｓ３０１：Ｎｏ）。一方、前記制御部１１は、前記電子カルテ編集画面Ｄ５における前記診療情報の登録が行われた場合（Ｓ３０１：Ｙｅｓ）、処理をステップＳ３０２に行こうさせる。
【００９１】
＜ステップＳ３０２＞
ステップＳ３０２において、前記制御部１１は、前記診療情報と前記アラームマスターとに基づいて、前記アラーム情報を登録する必要があるか否かを判断する。例えば、図３に示した前記アラームマスターが登録されている場合、前記制御部１１は、前記診療情報の内容として、診療科が「眼科」であり、医療行為の分類が「診療行為」であり、医療行為の名称が「眼底カメラ検査」である場合に、前記アラーム情報を登録する必要があると判断する。そして、前記制御部１１は、前記アラーム情報を登録する必要があると判断すると（Ｓ３０２：Ｙｅｓ）、処理をステップＳ３０３に移行させ、前記アラーム情報を登録する必要がないと判断すると（Ｓ３０２：Ｎｏ）、処理を前記ステップＳ３０１に戻す。
【００９２】
＜ステップＳ３０３＞
ステップＳ３０３において、前記制御部１１は、前記アラームマスターに基づいて、前記患者の次回の医療行為の実施予定時期を含む前記アラーム情報を前記患者に対応付けて登録する。例えば、図３に示すように、診療科が「眼科」であり、医療行為の分類が「診療行為」であり、医療行為の名称が「眼底カメラ検査」である場合には、前記アラーム周期が「３ヶ月毎」に設定されている。この場合、前記制御部１１は、前記アラーム情報に含まれる前記アラーム日（次回の医療行為の実施予定時期）として、前回の実施時期から３ヶ月経過後の時期を登録する。また、前記制御部１１は、前記アラーム情報に含まれる前記医療行為の区分として「検査」を登録し、前記項目（医療行為の名称）として、「眼底カメラ検査」を登録する。さらに、前記制御部１１は、前記前回オーダー日として前記診療情報に入力された前記医療行為の実施時期を登録し、前記アラーム周期として前記アラームマスターに設定されたアラーム周期を登録する。
【００９３】
このように、前記医療用事務処理システム１では、前記制御部１１によって、前記患者の診療情報と前記アラームマスターとに基づいて前記アラーム情報が自動的に登録されるため、ユーザーが患者ごとに前記アラーム情報を登録する手間が軽減される。
【００９４】
ところで、本実施形態では、前記サーバー１０単体が本発明に係る医療用事務処理システムである場合を例に挙げて説明したが、本実施形態で説明する前記サーバー１０が実行する処理を前記サーバー１０及び前記クライアント端末２０が分散して実行することも考えられる。この場合、前記サーバー１０及び前記クライアント端末２０が前記医療用事務処理システムを構成する。
【００９５】
また、前記クライアント端末２０単体が本発明に係る医療用事務処理システムとして機能することも考えられる。具体的に、前記クライアント端末２０に前記医療用事務処理プログラムの一部又は全部がインストールされており、前記クライアント端末２０の前記制御部２１が、前記サーバー１０から必要な情報を適宜取得して各種情報の表示、記録、及び印刷などの処理を実行することが考えられる。
【００９６】
さらに、本実施形態では、前記サーバー１０が、会計情報を管理するレセプト電算処理システム及び診療情報を管理する電子カルテシステムの機能を有する場合を例に挙げて説明した。一方、前記医療用事務処理システム１が、会計情報を管理するレセプト電算処理システムとして機能する前記サーバー１０、及び診療情報を管理する電子カルテシステムとして機能する前記サーバー１０を個別に備えることも考えられる。即ち、前記サーバー１０は、前記レセプト電算処理システム及び前記電子カルテシステムのいずれか一方の機能のみを有するものであってもよい。
【００９７】
［一括転帰入力機能］
ここで、前記医療用事務処理システム１が有する一括転帰入力機能について説明する。
【００９８】
前記一括転帰入力機能は、前記電子カルテ編集画面Ｄ５において複数の病名の転帰を一括して入力する機能である。具体的に、前記制御部１１は、前記医療用事務処理プログラムに従って各種の処理を実行することにより前記一括転帰入力機能を実現するための転帰入力処理を実行する一括転帰入力処理部１１４として機能する。なお、前記医療用事務処理システム１は、前記電子カルテ編集画面Ｄ５において患者の病名各々についての転帰（治ゆ、死亡、中止など）を前記キーパッド領域Ａ５４に表示されたキーパッドを用いて個別に入力することも可能である。
【００９９】
ここに、図１７は、前記電子カルテ編集画面Ｄ５から前記患者情報領域Ａ５３のみを抜き出した図である。図１７に示されているように、前記患者情報領域Ａ５３では、患者の現在の病名が表示される現在病名欄Ａ５３１が表示されると共に、前記現在病名欄Ａ５３１における編集操作を開始するための操作キーＫ５３１が表示されている。そして、前記制御部１１は、前記操作キーＫ５３１が操作されると、図１８に示すように、前記現在病名欄Ａ５３１のサイズを縮小すると共に、前記現在病名欄Ａ５３１に表示されている病名の編集を開始するためのチェックボックスＫ５３２を表示させる。前記制御部１１は、ユーザー操作に応じて前記チェックボックスＫ５３２にチェックが付けられた場合には、前記一括転帰入力機能を有効とし、前記チェックボックスＫ５３２にチェックが付けられていない場合には、前記一括転帰入力機能を無効とする。なお、前記一括転帰入力機能が無効であっても前記キーパッド領域Ａ５４を用いた前記病名の転帰の編集操作は可能である。
【０１００】
そして、前記制御部１１は、前記一括転帰入力機能が有効である場合、前記クライアント端末２０の操作部２４のマウス等を用いた前記現在病名欄Ａ５３２における範囲選択操作に応じて、前記範囲選択操作による選択範囲内の前記病名を選択状態にする。例えば、図１９では、上位３つの前記病名が選択されている。なお、前記制御部１１は、前記操作部２４のキーボード及びマウス等を用いて複数の前記病名を任意に選択状態にすることも可能である。続いて、前記制御部１１は、前記選択範囲内における前記マウスの右クリックなどの操作に応じて、図１９に示すように、前記選択状態となっている前記病名の転帰の入力内容の候補が表示される候補領域Ａ５３３を表示させる。
【０１０１】
その後、前記制御部１１は、前記候補領域Ａ５３３において前記病名の転帰の入力内容が選択されると、図２０に示すように、前記病名の転帰の時期を入力するためのカレンダー画面Ａ５３４を前記クライアント端末２０に表示させる。前記カレンダー画面Ａ５３４には、前記病名の転帰の時期を任意に選択するためのカレンダーが表示されると共に、予め設定された一又は複数の候補日が表示される。そして、前記制御部１１は、前記カレンダーの操作又は前記選択候補の操作に応じて、選択された日時を前記病名の転帰の時期として入力する。このとき、前記制御部１１は、前記操作部２４のマウス等の操作カーソルが前記候補日の上に位置するマウスオーバーが行われた場合、前記候補日の内容を示す表示領域Ａ５３５をツールチップによって表示させる。前記候補日の内容は、例えば当日、先月末日、先々月末日、開始日（診察日）から３日後、開始日から４日後、開始日から１週間後、開始日から２週間後、及び開始日から１ヶ月後などである。
【０１０２】
［適応症チェック機能］
次に、前記医療用事務処理システム１が有する適応症チェック機能について説明する。
【０１０３】
前記適応症チェック機能は、前記電子カルテ編集画面Ｄ５において患者の診療情報として入力された医療行為の内容と病名とが適応しているか否かを判定する機能である。具体的に、前記制御部１１は、前記医療用事務処理プログラムに従って各種の処理を実行することにより前記適応症チェック機能を実現するための適応症チェック処理を実行する適応症チェック処理部１１５として機能する。
【０１０４】
具体的に、前記マスター領域１２３には、前述したように医療行為の内容と前記医療行為に適応する病名との対応関係を示す前記適応症マスターが記憶されている。そして、前記制御部１１は、前記適応症マスターに基づいて、患者の診療情報として入力された医療行為の内容と病名とが適応しているか否かを判定する適応症チェック処理を実行する。より具体的に、前記制御部１１は、投薬指示された薬品と病名とが適応しているか否かを判定すると共に、診療行為と病名とが適応しているか否かを判定する。
【０１０５】
そして、前記制御部１１は、前記医療行為の内容に対応する前記病名の入力が不足している場合など、前記診療情報として入力された医療行為の内容と前記病名とが適応しないと判断した場合にエラー画面Ｄ８を表示させる。ここに、図２１は、前記エラー画面Ｄ８の一例を示す図である。図２１に示されているように、前記エラー画面Ｄ８では、前記診療情報として入力された医療行為が表示される医療行為領域Ａ８１と、前記診療情報として入力されるべき病名の候補が表示される病名候補領域Ａ８２とが表示される。
【０１０６】
特に、前記制御部１１は、前記適応症マスターに基づいて、前記診療情報として入力された医療行為の内容ごとに適応する病名を抽出し、その病名ごとの該当数をカウントする。そして、前記制御部１１は、前記病名候補領域Ａ８２の該当数表示欄Ａ８２１に前記病名ごとの該当数を表示させる。例えば、図２１に示すように、前記医療行為として「心身医学療法」及び「グランダキシン錠」が入力されており、前記適応症マスターにおいて「心身医学療法」及び「グランダキシン錠」が「自律神経失調症」の病名に対応付けられている場合には、「自律神経失調症」に対応する前記該当数表示欄Ａ８２１に「２」が表示される。また、前記制御部１１は、前記病名候補領域Ａ８２に表示される病名を前記該当表示欄Ａ８２１に表示される前記病名の該当数が多い順に優先して上位に表示させる。
【０１０７】
このように前記エラー画面Ｄ８では、ユーザーによる前記医療行為に適応する病名の判断に有用な情報が提供される。例えば、ユーザーは、前記医療行為として投薬指示が行われた薬品と診療行為とが入力されている場合に、前記薬品と前記診療行為との組み合わせに適応する可能性の高い病名の候補を判断しやすくなる。
【０１０８】
さらに、前記病名候補領域Ａ８２には、前記病名各々について主病名、副病名、又は病名のチェック操作を行うためのチェック欄Ａ８２２が表示されている。そして、前記制御部１１は、ユーザーにより、前記チェック欄Ａ８２２にチェックが付けられた状態で「ＯＫ」に対応する操作キーが操作された場合に、前記チェック欄Ａ８２２にチェックされた病名をチェック箇所に応じた主病名、副病名、又は病名として前記診療情報に登録する。
【０１０９】
ところで、前記適応症マスターにおいて、一つの医薬品又は診療行為について、複数の病名が登録されている場合には、前記診療情報として、前記医薬品又は前記診療行為が入力された場合に、前記複数の病名が入力される必要がある。そのため、前記適応症マスターにおいて、前記医療行為領域Ａ８１に表示されている医療行為に適応する病名が複数登録されている場合、前記制御部１１は、図２２に示すように、前記病名候補領域Ａ８２に、前記医療行為に対応する前記複数の病名を同時にチェック可能なチェック欄Ａ８２３を表示することが考えられる。これにより、ユーザーによる操作の手間が軽減される。例えば、図２２に示す例では、前記チェック欄Ａ８２３において、医薬品である「アーガメイト」に適応する病名として、「急性腎不全」及び「高カリウム血症」の組み合わせ、又は「慢性腎不全」及び「高カリウム血症」の組み合わせのいずれかを一操作によって選択可能である。
【符号の説明】
【０１１０】
１  ：医療用事務処理システム
１０：サーバー
１１：制御部
１２：記憶部
１３：表示部
１４：操作部
１５：通信ＩＦ
１６：ドライブ装置
１６１：記録媒体
２０：クライアント端末
２１：制御部
２２：記憶部
２３：表示部
２４：操作部
２５：通信ＩＦ
２６：ドライブ装置
２６１：記録媒体
３０：ネットワーク
【図１】
0006634670.tif 000002
【図２】
0006634670.tif 000003
【図３】
0006634670.tif 000004
【図４】
0006634670.tif 000005
【図５】
0006634670.tif 000006
【図６】
0006634670.tif 000007
【図７】
0006634670.tif 000008
【図８】
0006634670.tif 000009
【図９】
0006634670.tif 000010
【図１０】
0006634670.tif 000011
【図１１】
0006634670.tif 000012
【図１２】
0006634670.tif 000013
【図１３】
0006634670.tif 000014
【図１４】
0006634670.tif 000015
【図１５】
0006634670.tif 000016
【図１６】
0006634670.tif 000017
【図１７】
0006634670.tif 000018
【図１８】
0006634670.tif 000019
【図１９】
0006634670.tif 000020
【図２０】
0006634670.tif 000021
【図２１】
0006634670.tif 000022
【図２２】
0006634670.tif 000023